(57)【要約】【課題】頭部に安定して装着することができるカチューシャ式のゴーグルを提供する。【解決手段】ゴーグル１０は、使用者の眼を保護するためのシールド部１１と、シールド部１１を保持するための保持部１２と、保持部１２に連結され、ゴーグル１０を頭部に装着するための装着部２０を備える。装着部２０は、第１及び第２のテンプル部２１、２２と、係合部２３を有する。第１及び第２のテンプル部２１、２２は、シールド部１１から後方に向かって延び、頭部の側頭部に当接する。係合部２３は、第１及び第２のテンプル部２１、２２から上方または上斜め前方に曲げられて、頭部の前頭部に沿って延び前頭部に係合し、第１及び第２テンプル部２１、２２の前方部を接続する。【選択図】図１
2007089748.tif 000002
【特許請求の範囲】
【請求項１】
使用者の眼の前方に設けられるゴーグル部と、
前記ゴーグル部から後方に向かって延び、頭部の側頭部に当接する第１及び第２のテンプル部と、
前記第１及び第２のテンプル部から上方または上斜め前方に曲げられて、頭部の前頭部に沿って延び前記前頭部に係合し、これらテンプル部の前方部を接続する細長の係合部と
を備えるゴーグル。
【請求項２】
前記係合部は、前記第１及び第２のテンプル部に対して、１０乃至９０°曲げられることを特徴とする請求項１に記載のゴーグル。
【請求項３】
前記ゴーグル部は、細長の保持部により支持され、前記保持部の両端が、それぞれ前記第１及び第２のテンプル部の前記各前方部に連結されることを特徴とする請求項１に記載のゴーグル。
【発明の詳細な説明】
【技術分野】
【０００１】
本発明は、カチューシャ式に頭部に巻き付けて装着されるゴーグルに関する。
【背景技術】
【０００２】
従来、医療用途において血液の飛散から眼を保護するため、各種産業用途において粉塵等から眼を保護するため、または日光等の直射から眼を保護するための防眩用途に、シールド部が設けられたゴーグルが使用される。これら用途のゴーグルとしては、図６に示すようなカチューシャ式に頭部に巻き付けて装着されるカチューシャ式ゴーグル５０が知られている。
【０００３】
カチューシャ式ゴーグル５０は、シールド５１と、そのシールド５１を保持する保持部５２と、保持部５２を支持する装着部５３を備える。このゴーグル５０においては、装着部５３がヘアバンドのように頭部の形状に沿う略円弧上を呈し、頭部に巻き付くことで頭部に保持され、これによりゴーグル５０が頭部に装着されている。カチューシャ式ゴーグル５０は、このような構成を採ることにより、装着が容易であり、頻繁に着脱が必要とされる用途において有益に使用される。
【発明の開示】
【発明が解決しようとする課題】
【０００４】
しかし、シールド５１は一定の重さを有し、頭部に装着したときに、シールド５１の自重によりゴーグル５０が下にずれてしまうことがある。そこで、ゴーグル５０が下にずれることを防止するために、装着部５３を上方に傾け頭部に対して斜めに装着することが考えられるが、このように装着すると、装着部５３の一部が耳に当たり、装着部５３が頭部にうまく密接しなくなり、ゴーグル５０が頭部に安定して取り付けられなくなる。
【０００５】
本願発明は、このような問題点に鑑みて成されたものであり、簡単な構成で頭部に安定して支持されるカチューシャ式ゴーグルを提供することを目的とする。
【課題を解決するための手段】
【０００６】
本発明に係るゴーグルは、使用者の眼の前方に設けられるゴーグル部と、ゴーグル部から後方に向かって延び、頭部の側頭部に当接する第１及び第２のテンプル部と、第１及び第２のテンプル部から上方または上斜め前方に曲げられて、頭部の前頭部に沿って延び前頭部に係合し、これらテンプル部の前方部を接続する細長の係合部とを備える。このような構成によれば、係合部は、前頭部によって上向きの力によって支持されるので、ゴーグルを頭部に装着させた際に、ゴーグル部が下方向にずれることが防止される。なお、ゴーグル部は、例えば、眼を保護するためのシールド部、またはレンズ等から形成される。
【０００７】
係合部は、第１及び第２のテンプル部に対して、例えば１０乃至９０°曲げられる。
【０００８】
第１及び第２のテンプル部と、係合部は、一体に成形された方が良い。これにより、部品点数を少なくすることができるので、本発明に係るゴーグルをより容易に製造することができる。
【０００９】
勿論、第１及び第２のテンプル部と、係合部は別体に成形されていても良い。この場合、係合部は、第１及び第２のテンプル部に対して相対的に回動可能に固定されても良い。そして、係合部は、第１及び第２のテンプル部から上方または上斜め前方に曲げられた位置に配置可能なように、回動可能に固定されていれば良い。勿論、１０乃至９０°の範囲のみで回動するように設計されても良い。
【００１０】
ゴーグル部は、例えば、細長の保持部により支持され、保持部の両端が、それぞれ第１及び第２のテンプル部の各前方部に連結される。
【発明の効果】
【００１１】
本発明において、係合部がテンプル部に対して、上方または上方斜め前方に曲げられて設けられることにより、係合部は、上方から覆うように前頭部に係合され、前頭部によって下方から支持されるので、ゴーグルは頭部に安定して装着させられる。
【発明を実施するための最良の形態】
【００１２】
以下、本発明の第１の実施形態を図１〜図４を参照しつつ説明する。
図１は、本発明の第１の実施形態に係るゴーグルの斜視図である。図２は、第１の実施形態に係るゴーグルの前面図、図３は上面図である。なお、以下の説明においては、ゴーグル１０が頭部に装着されたとき、顔が向けられる方向を前方とし、その逆方向を後方とする。また、左右は前方から見たときの左右をいう。
【００１３】
本実施形態に係るゴーグル１０は、眼を保護するために、使用者の眼の前方に設けられるシールド部（ゴーグル部）１１と、シールド部１１を保持するための保持部１２と、保持部１２に連結され、ゴーグル１０を頭部に装着するための装着部２０を備える。
【００１４】
シールド部１１は、無色透明または彩色が施された透光性のあるガラス、またはプラスチックによって形成される。シールド部１１は、図３に示すように、その前方が平面形状を呈し、その左右は後方に向かって湾曲するように形成され、これにより、シールド部１１は、顔の形状に沿うように形成される。
【００１５】
保持部１２は、細長の部材であり、当接部１２ａと、当接部１２ａに接続される２つの延出部１２ｂを備える。当接部１２ａは、シールド部１１の上方部において、シールド部１１の背面に沿って左右に延び、その両端はシールド部１１の湾曲に合わせて後方に湾曲する。延出部１２ｂは、シールド部１１の左端及び右端から、僅かに上方に曲げられつつ後方に向けて各々延出する。シールド部１１は、その左端、右端及び中央部において、留具１３により当接部１２ａに固定される。延出部１２ｂのそれぞれの先端には、中央に第１の連結穴１４が形成された環状部１５が設けられる。
【００１６】
装着部２０は例えば合成樹脂から形成され、後方に向かって延びる第１及び第２のテンプル部２１、２２と、係合部２３とが一体に成形されて構成される。第１及び第２のテンプル部２１、２２は、内側に湾曲しつつ、後方に向かって延び、使用状態において略水平面に沿って延びる。係合部２３は、第１及び第２のテンプル部２１、２２から上斜め前方に曲げられて、第１及び第２テンプル部２１、２２の前方の端部を接続する。そして、係合部２３は、細長の弧形状を呈し、上斜め前方に膨らむ。なお、係合部２３の内周面２３Ａ（すなわち、頭部との接触面）とテンプル部２１、２２の内周面２１Ａ、２２Ａ（頭部との接触面）の前方部には、装着部２０が頭部に係合しやすいように複数の突起２９が設けられる。また、係合部２３の内周面２３Ａは、前頭部Ｆ（図４参照）に係合しやすいように、前頭部Ｆの形状に沿って形成される。具体的には、係合部２３の両側部２３ｂにおける内周面２３Ａは、その中央部２３ａにおける内周面２３Ａに比べ、大きく湾曲している。
【００１７】
第１及び第２のテンプル部２１、２２の前方の端部近傍には、それぞれ第１及び第２のテンプル部２１、２２の延びる方向に沿って並べられる３つの第２の連結穴２６が設けられる。第１及び第２のテンプル部２１、２２の前方部の外周面２１Ｆ、２２Ｆは、第２の連結穴２６が直線的に並べられるように、平面状に形成される。
【００１８】
第１及び第２のテンプル部２１、２２の外側には、３つの第２の連結穴２６のうち、１つの第２の連結穴２６と、保持部１２に設けられた第１の連結穴１４の位置が一致するように、環状部１５が重ねられる。穴の位置が一致した連結穴１４、２６には、ピン２８（またはネジ）が挿通され、保持部１２の両端部（環状部１５）は、第１及び第２のテンプル部２１、２２に固定される。ここで保持部１２は、ピン２８を支点に、装着部２０に対して相対的に上下に回動可能に固定されており、これにより、シールド部１１は上下方向の位置調整が可能である。また、保持部１２と装着部２０は、３つの第２の連結穴２６のうちいずれの連結穴を用いて連結させることも可能であり、ピン２８を挿通させる第２の連結穴２６を変更することにより、装着部２０に対するシールド部１１の前後方向の相対的な位置は調整可能である。なお、本実施形態においては、保持部１２（環状部１５）は、第１及び第２のテンプル部２１、２２に対して、一定の摩擦力が発生するようにネジ２８により固定されている。したがって、シールド部１１は、通常の使用状態において作用されるような力が作用されても、装着部２０に対して相対的に回動することはない。
【００１９】
図４は、本実施形態に係るゴーグル１０を頭部に装着させたときの概略図である。ゴーグル１０を頭部に装着させると、第１及び第２のテンプル部２１、２２（図１参照）は、側頭部Ｔに当接するとともに、係合部２３は前頭部Ｆに係合し、これにより装着部２０は、頭部Ｈに巻き付けられるように装着される。
【００２０】
ここで係合部２３は、第１及び第２のテンプル部２１、２２の延びる方向(使用状態における略水平面Ｐ)に対して上斜め前方に曲げられて延びるので、上斜め前から前頭部Ｆに係合する。したがって、係合部２３は、前頭部Ｆによって斜め上向きの力で支持されるので、シールド部１１の自重により、ゴーグル１０が下向きにずれることが防止される。
【００２１】
また、第１及び第２のテンプル部２１、２２は、側頭部Ｔの形状に合わせて内側に向けて湾曲しつつ後方に延び、一方係合部２３は、上方斜め前方に向けて膨らむ弧形状を呈し、頭部の前頭部Ｆの形状に沿って延びる。したがって、装着部２０は、頭部Ｈの形状に沿うように、頭部Ｈに巻きつくことができ、これによりゴーグル１０は、大きな力が下向きに作用されても、頭部から外れにくい。
【００２２】
本実施形態において、係合部２３は、上斜め前方に曲げられ、その曲げられる角度θは、第１及び第２のテンプル部２１、２２の延びる方向（使用状態における略水平面Ｐ）に対して３０°である。しかし、係合部２３は、上方に向けて曲げられても良く、すなわち、角度θは９０°であっても良い。勿論、角度θは上記角度に限定されるわけでなく、１０°乃至９０°の範囲であれば良い。なお、角度θは、１０°より小さいと、係合部２３が前頭部Ｆ（図４参照）によって上向きに支持されにくくなる一方、９０°より大きいと、係合部２３が前頭部Ｆに係合しなくなり、ゴーグル１０が頭部Ｈに装着されにくくなるので、角度θは上記範囲が好ましい。
【００２３】
図５は、本発明の第２の実施形態に係るゴーグルを示すための図である。第１の実施形態に係るゴーグルにおいて装着部２０は一体に成形され、係合部２３は、第１及び第２のテンプル部２１、２２に対して相対的に回動することができなかったが、本実施形態においては、係合部２３は第１及び第２のテンプル部２１、２２（図１参照）に対して相対的に回動することが可能である。以下、第２の実施形態について、第１の実施形態との相違点を中心に説明する。なお、以下の説明においては、同一の部材に対しては、第１の実施形態の符号と同一の符号を付す。
【００２４】
図５に示すように、本実施形態に係るゴーグル１０は、シールド部１１と、保持部１２と、装着部２０とを備える。シールド部１１と、保持部１２は、第１の実施形態の構成と同様であるので、その記載は省略する。装着部２０は、第１の実施形態と同様に、第１及び第２のテンプル部２１、２２を有し、第１及び第２のテンプル部２１、２２の前方の端部近傍には、各々第１の連結穴２６が１つ設けられる。係合部２３は、第１の実施形態と同様に弧形状を呈し、その両端部に第３の連結穴２７が設けられる。保持部１２の環状部１５には、第１の実施形態と同様に第１の連結穴１４が設けられる。
【００２５】
第１及び第２のテンプル部２１、２２の前方の端部の外側には、第１乃至第３の連結穴１４、２６、２７が一致するように、係合部２３の端部及び環状部１５がこの順に重ねられる。ここで、係合部２３は、第１及び第２のテンプル部２１、２２に対して、上方または上斜め前方に曲げられるように、その端部が重ねられる。また、保持部１２は、第１及び第２のテンプル部２１、２２の前方に連設されるように重ねられる。連結穴１４、２６、２７には、ピン２８（またはネジ）が挿通され、これにより第１及び第２のテンプル部２１、２２の前方の端部に、係合部２３及び保持部１２（環状部１５）が固定される。
【００２６】
係合部２３は、第１及び第２のテンプル部２１、２２に対して相対的に、ピン２８を中心に回動可能に固定されており、第１及び第２のテンプル部２１、２２の延びる方向（使用状態における略水平面Ｐ）に対して、上向きに１０°乃至９０°（角度θ）曲げられる範囲で、回動可能である。したがって、本実施形態においては、使用者の前頭部Ｆの形状に合わせて角度θを調整可能であり、係合部２３を前頭部Ｆに密着させやすくすることができる。また、保持部１２に関しても、第１及び第２のテンプル部２１、２２に対して、相対的にピン２８を中心に上下方向に回動可能であり、これによりシールド部１１の上下方向の位置も調整可能である。なお、本実施形態においても、保持部１２（環状部１５）は係合部２３に対して、係合部２３は第１及び第２のテンプル部２１、２２に対して、それぞれ一定の摩擦力が発生するようにネジ２８により固定されている。したがって、シールド部１１及び係合部２３は、通常の使用状態において作用されるような力が作用されても、テンプル部２１、２２に対して相対的に回動することはない。
【００２７】
以上のように、第１及び第２の実施形態においては、係合部２３は、上方から覆うように、前頭部に当接し、前頭部から上向きの力によって支持されるので、装着部２０が下向きにずれることが防止される。また、第１及び第２のテンプル部２１、２２は、側頭部Ｔに巻きついて装着され、耳に掛けて装着させる必要がなく、眼鏡等との併用も可能である。したがって、眼鏡とゴーグルの両方が必要な使用者にとっては特に有益に使用される。この場合、係合部２３は下向きにずれることが防止されるため、テンプル部２１、２２が下にずれ、併用して使用される眼鏡を干渉することはない。
【００２８】
なお、第１及び第２の実施形態において、ゴーグル部は、目を保護するためのシールド部１１であるが、例えば、近眼用、老眼用のレンズ等であっても良い。なお第１の実施形態において、図１は、ピン２８が、最も前方に位置する第２の連結穴２６に挿通された状態を示すが、図４，５は、ピン２８が、３つの連結穴２６のうち、中央の連結穴２６に挿通された状態を示す。
【図面の簡単な説明】
【００２９】
【図１】本発明の第１の実施形態に係るゴーグルの斜視図である。
【図２】第１の実施形態に係るゴーグルの前面図である。
【図３】第１の実施形態に係るゴーグルの上面図である。
【図４】ゴーグルを頭部に装着させたときの装着状態を示す側面図である。
【図５】第２の実施形態に係るゴーグルを頭部に装着させたときの装着状態を示す側面図である。
【図６】従来のゴーグルを頭部に装着させたときの装着状態を示す側面図である。
【符号の説明】
【００３０】
１０  ゴーグル
１１  シールド部（ゴーグル部）
１２  保持部
２０  装着部
２１  第１のテンプル部
２２  第２のテンプル部
２３  係合部
【図１】
2007089748.tif 000003
【図２】
2007089748.tif 000004
【図３】
2007089748.tif 000005
【図４】
2007089748.tif 000006
【図５】
2007089748.tif 000007
【図６】
2007089748.tif 000008